(57)【要約】      （修正有）【課題】通気性とローリングにより追従する性質と弾性支持などの多重の効果を有する通気性枕構造を提供する。【解決手段】二枚の側枠板１とビーム・フレーム２と複数本の円断面ロッド３と他の部材とからなり、側枠板が枕の両側の保持用厚板片であり、側板面の中央における選択箇所に位置決め受け取り孔１１が形成され、内側板面の縁部に沿って複数の挿入孔１２が間隔を置いてリング状に形成され、ビーム・フレームは二枚の側枠板同士を当接支持するフレームを形成し、その端面の形状と位置決め受け取り孔とマッチングし、円断面ロッドは微小な弾性変形量を有する材質からなる円柱形のロッドであり、その径を挿入孔の孔径よりやや小さく形成し、ビーム・フレームの両端部をそれぞれ位置決め受け取り孔内に保持結合し、それぞれの円断面ロッドの両端部を可動的に前記両側の枠板の相互に対応する挿入孔に挿入し、ローリング頭部載置面を有する通気性枕を形成する。【選択図】図１
0003100928.tif 000002
【実用新案登録請求の範囲】
【請求項１】
二枚の側枠板とビーム・フレームと複数本の円断面ロッドと他の部材とからなり、そのうち、
前記側枠板が枕の両側の保持用厚板片であり、その内側板面の中央における選択箇所に位置決め受け取り孔が形成され、内側板面の縁部に沿って複数の挿入孔が間隔を置いてリング状に形成され、
前記ビーム・フレームは二枚の側枠板同士を当接支持するフレームを形成し、その端面の形状と位置決め受け取り孔とマッチングし、
前記円断面ロッドは微小な弾性変形量を有する材質からなる円柱形のロッドであり、その径を前記挿入孔の孔径よりやや小さく形成し、
前記の諸部材を利用し、ビーム・フレームの両端部をそれぞれ位置決め受け取り孔内に保持結合し、且つそれぞれの円断面ロッドの両端部を可動的に前記両側の枠板の相互に対応する挿入孔に挿入し、それらによってローリング頭部載置面を有する通気性枕を形成することを特徴とする、
通気性枕構造。
【請求項２】
前記両側の側枠板同士がビーム・フレームの当接固定を受けると、それぞれの円断面のロッド同士の両端が依然としてその挿入する挿入孔の孔底部と所定の距離を保持するようにしたことを特徴とする、
請求項１に記載の通気性枕構造。
【請求項３】
前記側枠板が内側面の中央選択箇所に一つまたは一つ以上の位置決め受け取り孔が形成されることを特徴とする、
請求項１に記載の通気性枕構造。
【請求項４】
前記ビーム・フレームとしてロッド状や板状や他の幾何詰め出し成形製品を採用することを特徴とする、
請求項１に記載の通気性枕構造。
【請求項５】
前記側枠板としてグリーン・サンタル・ウッドを使用して製造するものを採用することを特徴とする、
請求項１に記載の通気性枕構造。
【請求項６】
前記ビーム・フレームとしてグリーン・サンタル・ウッドを使用して製造するものを採用することを特徴とする、
請求項１に記載の通気性枕構造。
【請求項７】
前記円断面ロッドとしてグリーン・サンタル・ウッドを使用して製造するものを採用することを特徴とする、
請求項１に記載の通気性枕構造。
【考案の詳細な説明】
【技術分野】
【０００１】
本考案は、通気性枕構造に係わり、特に頭部載置面が人間の頭部の移動に従ってローリングにより追従する関係を形成することを特徴とする通気性枕構造に関するものである。
【背景技術】
【０００２】
周知のように、人間が立ち上がる時、その顔と体の垂直線との間はほぼ５度の角度を形成し、寝る時では、首が依然としてこの角度を保持すると、快適さが生じる。そのため、一般に枕を選択する場合、三つの要素、高さ、硬さ、弾性などを考慮する必要があり、枕の高さは人によって違うが、生理的な角度から考察する場合、８〜１５ｃｍが最も好ましい。枕の硬度は適当な硬度に設定しなければならなく、硬すぎると頭部と枕との接触面積を減少し、且つ圧力を増大する。それに対してあまりにも柔らかすぎると、頭部そのものが沈み込み、血液の循環に影響を与え、頭部を麻痺させる場合さえある。また、枕の弾性は微少でよく、弾性が過大すぎる場合、首の筋肉の疲労と損傷をもたらす場合がある。
【０００３】
前記の結論より、本考案の考案者は良好で健康な睡眠品質を獲得するために、枕の材質や構造の設計などはすべてが相互にマッチングする必要があり、その場合にこそ、人体に最適な枕を作り出すことができる。そのため、本考案の考案者は努力を続け実験研究を繰り返し各種の材質を研究し、且つ人体と枕との間の頭をもたれさせる部分の相互関係を詳細に解析研究した結果、ついにグリーン・サンタル・ウッドを材料とする本考案の通気性枕構造を開発した。
【考案の開示】
【考案が解決しようとする課題】
【０００４】
本考案は前記の従来の枕の使用時不好適な様々な問題を解消することを解決しようとする課題とする。
【課題を解決するための手段】
【０００５】
本考案は、二枚の側枠板とビーム・フレームと複数本の円断面ロッドと他の部材とからなり、そのうち、前記側枠板が枕の両側の保持用厚板片であり、その内側板面の中央における選択箇所に位置決め受け取り孔が形成され、内側板面の縁部に沿って複数の挿入孔が間隔を置いてリング状に形成され、前記ビーム・フレームは二枚の側枠板同士を当接支持するフレームを形成し、その端面の形状と位置決め受け取り孔とマッチングし、前記円断面ロッドは微小な弾性変形量を有する材質からなる円柱形のロッドであり、その径を前記挿入孔の孔径よりやや小さく形成し、前記の諸部材を利用し、ビーム・フレームの両端部をそれぞれ位置決め受け取り孔内に保持結合し、且つそれぞれの円断面ロッド同士の両端部を可動的に前記両側の枠板の相互に対応する挿入孔に挿入し、それらによってローリング頭部載置面を有する通気性枕を形成する、通気性枕構造を提供することをその主要な目的とする。
【考案の効果】
【０００６】
本考案は前記の構造によって優れた睡眠品質を作り出せる通気性枕構造を提供する。また、本考案は、枕の両側枠板とビーム・フレームと複数本の円断面ロッドとがすべてグリーン・サンタル・ウッドを製造材料とし、円断面ロッドの配列によりなる頭部載置面が使用者に適当な弾性保持力を提供でき、且つビーム・フレーム自身の薬理特性によって使用者に極めて好ましい健康睡眠品質を提供できる。
【考案を実施するための最良の形態】
【０００７】
以下に本考案の目的と特徴とその効果を解明するために、具体的な実施の形態を挙げて、添付図面と合わせて以下に詳細に説明する。
【０００８】
図１に示すように、本考案は一種の通気性枕構造に関してであり、主に両側の枠板１と、ビーム・フレーム２と、複数本の円断面ロッド３と、他の部材からなり、そのうち、前記側枠板１は長楕円形の厚板であり、両側の枠板１の内側面の中央における選定された箇所に一つまたは一つ以上の位置決め受け取り孔１１が形成され、それぞれの側枠板１は内側面の縁部に間隔を置いて複数の挿入孔がリング状に形成されている。
【０００９】
ビーム・フレーム２は二枚の側枠板１を当接固定するためのフレームであり、そしてロッド状や板状や他の幾何詰め出し加工された形状にすることができるが、ビーム・フレーム２の端面が位置決め受け取り孔１１とマッチングできるようにすることが重要である。
【００１０】
円断面ロッド３は、微少な弾性変形量を有する材質からなる円柱形のロッドであり、そのロッドの径を挿入孔１２の径よりやや小さくし、それと挿入孔１２と合わせる場合に、外力の導入作用に従って挿入孔１２において巧みに回転できる。
【００１１】
前記の構成部材（図２参照）を利用することは、位置決め受け取り孔１１の数と同じ数のビーム・フレーム２を使用し、その両端をそれぞれ位置決め受け取り孔１１内に保持し、且つそれぞれの円断面ロッド３の両端を可動的に前記二枚の側枠板１の相互に対応する挿入孔１２に挿入し、これらのことによってローリング頭部載置面を有るる通気性枕を構成できる。
【００１２】
他に、本考案の考案する“通気性枕構造”は、その枕の両側枠板１とビーム・フレーム２と複数本の円断面ロッド３とがすべてグリーン・サンタル・ウッドの材料によって製造されるものであり、この場合、グリーン・サンタル・ウッドの自身の高密度と高硬度の特性を利用して円断面ロッドからなる枕の頭部載置面によって使用者に快適な弾性支持効果を提供でき、且つ頭部が枕において移動し、円断面ロッド３が頭部にローリングして追従する場合に、円断面ロッド３が簡単に挿入孔１２との間のローリング摩擦を受け、過度の磨耗を生じることなく、また、枕もグリーン・サンタル・ウッド自身の薬理特性によって使用者に極めて好ましい健康睡眠品質を作れる用品を提供できる。
【００１３】
また、図３に示すように、両側の枠板同士１がビーム・フレーム２に当接保持されると、それぞれの円断面ロッド３の両端とそれを挿入する挿入孔１２の孔底部と所定の間隔を保持するようにすることにより、円断面ロッド３が構築形成した枕の頭部載置面が人体の頭部の移動時にさらに滑らかなローリング状態を形成でき、髪の毛が挟まれるようなアクシデント（図４参照）を発生することはない。
【００１４】
また、図４に示すように、前記側枠板１は内側面の縁部に形成される複数の挿入孔１２が、それらの隣接関係は所定の間隔を保持するための距離を有し、こうするとにより、複数本の円断面ロッド３が挿入孔１２に挿入されて形成される枕の頭部載置面に、絶好の通気チャンネルを形成し、また、枕の中空式の考案と合わせて、頭部の通気性に関して好ましく形成することができ、且つグリーン・サンタル・ウッドの発散する天然香気がスムーズに髪の間を流動でき、睡眠の環境をもっと爽やかで芳香的にする。
【産業上の利用可能性】
【００１５】
前記に説明したように、本考案による“通気性枕構造”によると、確かに予期した通気
性とローリング合わせ性質と弾性支持などの多重の効果を有し、且つその全体手段が最優先に提出されるものであり、既に実用新案登録の要件を満たしており、そのため、法に従って登録出願を提出するが、ご査察の上、早期に登録を受け付けるよう宜しくお願い申し上げます。
【図面の簡単な説明】
【００１６】
【図１】本考案を示す分解斜視図である。
【図２】本考案を示す組立斜視図である。
【図３】本考案を示す組立断面図である。
【図４】本考案の使用状態を示す説明図である。
【符号の説明】
【００１７】
１      側枠板
２      ビーム・フレーム
３      円断面ロッド
１１    位置決め受け取り孔
１２    挿入孔
【図１】
0003100928.tif 000003
【図２】
0003100928.tif 000004
【図３】
0003100928.tif 000005
【図４】
0003100928.tif 000006